(57)【要約】本発明の課題は、他の無線セルの無線パラメータの変更によって生じる通信環境の変化を考慮しながら、無線セルの無線パラメータを制御することが可能な無線パラメータ制御装置を提供することである。本発明にかかる無線パラメータ制御装置は、第１の無線セルの無線パラメータの決定に用いる第１の測定情報に、第２の無線セルの無線パラメータの変更によって影響を受ける無線セルにおける、前記第２の無線セルの無線パラメータの変更によって無効となる第２の測定情報が含まれているか否かを判定する測定情報判定部と、前記第２の無線セルの無線パラメータの変更によって影響を受ける無線セルを決定する影響セル決定部と、前記測定情報判定部における判定結果に応じて、前記第１の無線セルの無線パラメータを決定する無線パラメータ決定部とを備える。
2013161793.tif 000002
【特許請求の範囲】
【請求項１】
無線基地局が管理する無線セルの無線パラメータを制御する無線パラメータ制御装置であって、
第１の無線セルの無線パラメータの決定に用いる第１の測定情報に、第２の無線セルの無線パラメータの変更によって影響を受ける無線セルにおける、前記第２の無線セルの無線パラメータの変更によって無効となる第２の測定情報が含まれているか否かを判定する測定情報判定部と、
前記第２の無線セルの無線パラメータの変更によって影響を受ける無線セルを決定する影響セル決定部と、
前記測定情報判定部における判定結果に応じて、前記第１の無線セルの無線パラメータを決定する無線パラメータ決定部と、
を備える無線パラメータ制御装置。
【請求項２】
前記測定情報判定部は、
前記第１の測定情報に、前記第２の無線セルの無線パラメータの変更によって影響を受ける無線セルにおける測定情報が含まれる場合、前記影響を受ける無線セルにおける測定情報を前記無効となる第２の測定情報と判定する、請求項１に記載の無線パラメータ制御装置。
【請求項３】
前記測定情報判定部は、
前記第１の測定情報に、前記第２の無線セルの無線パラメータの変更時刻以前の測定情報が含まれる場合、前記第２の無線セルの無線パラメータの変更時刻以前の測定情報を前記無効となる第２の測定情報と判定する、請求項１又は２に記載の無線パラメータ制御装置。
【請求項４】
前記無線パラメータ決定部は、
前記第１の測定情報に、前記第２の測定情報が含まれている場合、前記第１の無線セルの無線パラメータの変更を抑制する、請求項１乃至３のいずれか１項に記載の無線パラメータ制御装置。
【請求項５】
前記無線パラメータの変更の抑制は、前記無線パラメータを変更しない、前記第１の測定情報を用いて決定される無線パラメータの変更値に対して、変更量を小さくする補正を加える、及び、無線パラメータの変更時刻を延期する、のいずれかである請求項４に記載の無線パラメータ制御装置。
【請求項６】
前記測定情報判定部は、
前記第１の測定情報に含まれる前記第２の測定情報の割合を求め、
前記無線パラメータ決定部は、
前記割合に基づいて、前記無線パラメータの変更を抑制する強さを決定する、
請求項４又は５に記載の無線パラメータ制御装置。
【請求項７】
前記無線パラメータ決定部は、
前記第１の測定情報に、前記第２の測定情報が含まれている場合、前記第１の測定情報から前記第２の測定情報を除いた情報を重視して、前記第１の無線セルの無線パラメータを決定する、請求項１乃至３のいずれか１項に記載の無線パラメータ制御装置。
【請求項８】
前記影響セル決定部は、
前記第２の無線セルの無線パラメータの変更によって、収容する無線端末に変化が生じる第３の無線セルを予測し、前記第３の無線セルを前記第２の無線セルの無線パラメータの変更によって影響を受ける無線セルと決定する、
請求項１乃至７のいずれか１項に記載の無線パラメータ制御装置。
【請求項９】
前記影響セル決定部は、
前記無線端末における測定情報、ハンドオーバ関連情報及び無線セルの位置、の少なくとも１つを用いて、前記第３の無線セルを予測する、請求項８に記載の無線パラメータ制御装置。
【請求項１０】
前記第２の無線セルの無線パラメータの変更によって、測定情報に変化が生じた第４の無線セルを判定する影響判定部をさらに備え、
前記影響セル決定部は、
前記第２の無線セルの無線パラメータの変更によって影響を受ける無線セルに、前記第４の無線セルを含める、
請求項１乃至９のいずれか１項に記載の無線パラメータ制御装置。
【請求項１１】
前記無線パラメータ決定部は、
前記第１の無線セルの無線パラメータを変更することを決定した後に、前記第１の無線セルの識別子、及び、前記無線パラメータの変更時刻の少なくとも一つを無線パラメータ変更情報として記憶する、
請求項１乃至１０のいずれか１項に記載の無線パラメータ制御装置。
【請求項１２】
請求項１乃至１１のいずれか１項に記載の無線パラメータ制御装置を備え、
自身の管理する無線セルの無線パラメータの変更によって影響を受ける無線セルに関する情報と、前記自身の管理する無線セルにおいて変更された無線パラメータ変更情報とを、他の無線基地局と交換する、無線基地局。
【請求項１３】
無線基地局が管理する無線セルにおける無線パラメータ制御方法であって、
第２の無線セルの無線パラメータの変更によって影響を受ける無線セルを決定し、第１の無線セルの無線パラメータの決定に用いる第１の測定情報に、前記第２の無線セルの無線パラメータの変更によって影響を受ける無線セルにおける、前記第２の無線セルの無線パラメータの変更によって無効となる第２の測定情報が含まれているか否かを判定し、
前記判定結果に応じて、前記第１の無線セルの無線パラメータを決定する、無線パラメータ制御方法。
【請求項１４】
前記第１の測定情報に、前記第２の測定情報が含まれているか否かを判定する際に、
前記第１の測定情報に、前記第２の無線セルの無線パラメータの変更によって影響を受ける無線セルにおける測定情報が含まれる場合、前記影響を受ける無線セルにおける測定情報を無効となる前記第２の測定情報と判定する、
請求項１３に記載の無線パラメータ制御方法。
【請求項１５】
前記第１の測定情報に、前記第２の測定情報が含まれているか否かを判定する際に、
前記第１の測定情報に、前記第２の無線セルの無線パラメータの変更時刻以前の測定情報が含まれる場合、前記第２の無線セルの無線パラメータの変更時刻以前の測定情報を無効となる前記第２の測定情報と判定する、
請求項１３又は１４に記載の無線パラメータ制御方法。
【請求項１６】
前記第１の無線セルの無線パラメータを決定する際に、
前記第１の測定情報に、前記第２の測定情報が含まれている場合、前記第１の無線セルの無線パラメータの変更を抑制する、
請求項１３乃至１５のいずれか１項に記載の無線パラメータ制御方法。
【請求項１７】
前記無線パラメータの変更の抑制は、前記無線パラメータを変更しない、前記第１の測定情報を用いて決定される無線パラメータの変更値に対して、変更量を小さくする補正を加える、及び、無線パラメータの変更時刻を延期する、のいずれかである
請求項１６に記載の無線パラメータ制御装置。
【請求項１８】
前記第１の無線セルの無線パラメータを決定する際に、
前記第１の測定情報に含まれる前記第２の測定情報の割合を求め、
前記割合に基づいて、前記無線パラメータの変更を抑制する強さを決定する、
請求項１６又は１７に記載の無線パラメータ制御方法。
【請求項１９】
前記第１の無線セルの無線パラメータを決定する際に、
前記第１の測定情報に、前記第２の測定情報が含まれている場合、前記第１の測定情報から前記第２の測定情報を除いた情報を重視して、前記第１の無線セルの無線パラメータを決定する、
請求項１３乃至１５のいずれか１項に記載の無線パラメータ制御方法。
【請求項２０】
前記第２の無線セルの無線パラメータの変更によって影響を受ける無線セルを決定する際に、
前記第２の無線セルの無線パラメータの変更によって、収容する無線端末に変化が生じる第３の無線セルを予測し、前記第３の無線セルを前記第２の無線セルの無線パラメータの変更によって影響を受ける無線セルと決定する、
請求項１３乃至１９のいずれか１項に記載の無線パラメータ制御方法。
【請求項２１】
前記第２の無線セルの無線パラメータの変更によって影響を受ける無線セルを決定する際に、
前記無線端末における測定情報、ハンドオーバ関連情報及び無線セルの位置、の少なくとも１つを用いて、前記第３の無線セルを予測する、
請求項２０に記載の無線パラメータ制御方法。
【請求項２２】
前記第２の無線セルの無線パラメータの変更によって影響を受ける無線セルを決定する際に、
前記第２の無線セルの無線パラメータの変更によって、測定情報に変化が生じた第４の無線セルを判定し、
前記第２の無線セルの無線パラメータの変更によって影響を受ける無線セルに、前記第４の無線セルを含める、
請求項１３乃至２１のいずれか１項に記載の無線パラメータ制御方法。
【請求項２３】
無線基地局が管理する無線セルにおける無線パラメータ制御をコンピュータに実行させるプログラムであって、
第２の無線セルの無線パラメータの変更によって影響を受ける無線セルを決定するステップと、
第１の無線セルの無線パラメータの決定に用いる第１の測定情報に、前記第２の無線セルの無線パラメータの変更によって影響を受ける無線セルにおける、前記第２の無線セルの無線パラメータの変更によって無効となる第２の測定情報が含まれているか否かを判定するステップと、
前記判定結果に応じて、前記第１の無線セルの無線パラメータを決定するステップと、
をコンピュータに実行させるプログラム。
【発明の詳細な説明】
【技術分野】
【０００１】
本発明は無線通信網における無線パラメータ制御装置、無線基地局、無線パラメータ制御方法、およびプログラムに関し、特に複数の無線セルの無線パラメータを制御するのに適した無線パラメータ制御装置、無線基地局、無線パラメータ制御方法、およびプログラムに関する。
【背景技術】
【０００２】
携帯電話に代表されるセルラ方式の無線通信網は、複数の無線基地局を分散して配置することにより、広域なサービスエリアを構成する。各無線基地局は、自身と通信可能な範囲である無線セルを形成する。通常は１〜６程度の無線セルが、１つの無線基地局によって管理される。【０００３】
無線基地局の設置時や運用中には、通信不能なエリア（Ｃｏｖｅｒａｇｅ  ｈｏｌｅ）を減らし、さらには無線端末（ＵＥ；  Ｕｓｅｒ  Ｅｑｕｉｐｍｅｎｔ）の無線品質（受信電力や信号対干渉比など）や通信品質（スループットや呼の異常切断率、ハンドオーバ失敗率など）を改善することを目的として、無線セルの無線パラメータの最適化が行われる。一般的には、現地にて専用の測定器を用いた走行試験を実施し、電波の受信電力や干渉状況、呼の異常切断やハンドオーバ失敗の発生有無、スループットなどを測定する。そして、受信電力が不十分な場所（Ｗｅａｋ  ｃｏｖｅｒａｇｅ）や、強い干渉を受けている場所（Ｐｉｌｏｔ  ｐｏｌｌｕｔｉｏｎ）などを特定し、これらの問題を解消するための無線パラメータの調整が行われる。調整される無線パラメータとしては、例えば、無線セルのアンテナチルト角、アンテナ方位角、送信電力、ハンドオーバパラメータなどが一般的である。【０００４】
上述の走行試験に基づく無線セルの無線パラメータの最適化は、人手による測定ならびにチューニング作業を伴うため、無線通信網の運用コストの増加の一因となっている。そこで、こうした無線パラメータの最適化にかかるコストを削減するために、無線セルの無線パラメータを自律的に最適化する技術の開発および標準化が進められている。例えば、３ＧＰＰ（３ｒｄ  Ｇｅｎｅｒａｔｉｏｎ  Ｐａｒｔｎｅｒｓｈｉｐ  Ｐｒｏｊｅｃｔ）において標準化が進められているＳＯＮ（Ｓｅｌｆ  Ｏｒｇａｎｉｚｉｎｇ  Ｎｅｔｗｏｒｋ）などがその一例である。【０００５】
特許文献１には、負荷分散のための無線セルの無線パラメータの最適化方法が開示されている。特許文献１に開示された方法によれば、無線セルのトラフィック負荷を測定し、当該無線セル（無線セルＡ）のトラフィック負荷が高い時には、無線セルＡの周辺に存在するトラフィック負荷の低い無線セルのうち、無線セルＡとの重なりが大きい無線セル（無線セルＢ）を選択する。そして、無線セルＢのカバレッジを拡大するとともに、無線セルＡのカバレッジを縮小する。一方、無線セルＡのトラフィック負荷が低い時には、無線セルＢのカバレッジを縮小するとともに、無線セルＡのカバレッジを拡大する。以上の制御を、全ての無線セルについて順次実行する。
【先行技術文献】
【特許文献】
【０００６】
【特許文献１】国際公開第２０００／０７２６１８号
【発明の概要】
【発明が解決しようとする課題】
【０００７】
特許文献１に開示された方法は、無線セルの無線パラメータを決定する際に、他の無線セルの無線パラメータの変更によって生じる通信環境の変化を考慮していない。すなわち、他の無線セルの無線パラメータの変更によって通信環境が変化した後であっても、あるいは、近い将来に無線パラメータの変更によって通信環境が変化することが確実である場合であっても、通信環境の変化前の測定情報を含む測定情報を用いて無線パラメータが決定される。その結果、無線セルの無線パラメータが不適切な値に決定され、無線パラメータの変更によって通信品質の劣化が生じる可能性がある。【０００８】
上述した課題の一例を図１１および図１２を用いて説明する。図１１に示す通り、無線通信網は、マクロ無線基地局１０１、ピコ無線基地局１０３、ピコ無線基地局１０５を備えている。マクロ無線基地局１０１は、マクロ無線セル１０２、ピコ無線基地局１０３は、ピコ無線セル１０４、ピコ無線基地局１０５は、ピコ無線セル１０６を管理している。ここでは、マクロ無線セル１０２は低負荷であり、ピコ無線セル１０４とピコ無線セル１０６とは、ともに高負荷であると仮定する。特許文献１に開示された方法を適用した場合、ピコ無線セル１０４とピコ無線セル１０６は、お互いの無線パラメータの変更によって生じる通信環境の変化を考慮せずに負荷分散を実行する。例えば、図１２に示すように、ピコ無線基地局１０３とピコ無線基地局１０５は、送信電力を減少させることによりそれぞれの無線セルのカバレッジを縮小する。二つのピコ無線基地局が同時に負荷分散を実行した結果、マクロ無線セル１０２の負荷が急増し、マクロ無線セル１０２内の通信品質が劣化する。【０００９】
本発明は上記課題を鑑みてなされたものであって、他の無線セルの無線パラメータの変更によって生じる通信環境の変化を考慮しながら、無線セルの無線パラメータを制御することが可能な無線パラメータ制御装置、無線基地局、無線パラメータ制御方法及びプログラムを提供することを目的とする。
【課題を解決するための手段】
【００１０】
本発明の第１の態様にかかる無線パラメータ制御装置は、無線基地局が管理する無線セルの無線パラメータを制御する無線パラメータ制御装置であって、第１の無線セルの無線パラメータの決定に用いる第１の測定情報に、第２の無線セルの無線パラメータの変更によって影響を受ける無線セルにおける、前記第２の無線セルの無線パラメータの変更によって無効となる第２の測定情報が含まれているか否かを判定する測定情報判定部と、前記第２の無線セルの無線パラメータの変更によって影響を受ける無線セルを決定する影響セル決定部と、前記測定情報判定部における判定結果に応じて、前記第１の無線セルの無線パラメータを決定する無線パラメータ決定部と、を備えるものである。【００１１】
本発明の第２の態様にかかる無線基地局は、無線パラメータ制御装置を備え、自身の管理する無線セルの無線パラメータの変更によって影響を受ける無線セルに関する情報と、自身の管理する無線セルにおいて変更された無線パラメータ変更情報とを、他の無線基地局と交換するものである。【００１２】
本発明の第３の態様にかかる無線パラメータ制御方法は、無線基地局が管理する無線セルにおける無線パラメータ制御方法であって、第２の無線セルの無線パラメータの変更によって影響を受ける無線セルを決定し、第１の無線セルの無線パラメータの決定に用いる第１の測定情報に、第２の無線セルの無線パラメータの変更によって影響を受ける無線セルにおける、前記第２の無線セルの無線パラメータの変更によって無効となる第２の測定情報が含まれているか否かを判定し、前記判定結果に応じて、前記第１の無線セルの無線パラメータを決定するものである。【００１３】
本発明の第４の態様にかかるプログラムは、無線基地局が管理する無線セルにおける無線パラメータ制御をコンピュータに実行させるプログラムであって、第２の無線セルの無線パラメータの変更によって影響を受ける無線セルを決定し、第１の無線セルの無線パラメータの決定に用いる第１の測定情報に、第２の無線セルの無線パラメータの変更によって影響を受ける無線セルにおける、前記第２の無線セルの無線パラメータの変更によって無効となる第２の測定情報が含まれているか否かを判定するステップと、前記測判定結果に応じて、前記第１の無線セルの無線パラメータを決定するステップと、をコンピュータに実行させるものである。
【発明の効果】
【００１４】
本発明により、他の無線セルの無線パラメータの変更によって生じる通信環境の変化を考慮しながら、無線セルの無線パラメータを制御することが可能な無線パラメータ制御装置、無線基地局、無線パラメータ制御方法及びプログラムを提供することができる。
【図面の簡単な説明】
【００１５】
【図１】実施の形態１にかかる無線通信網の構成図である。
【図２】実施の形態１にかかる無線パラメータ制御装置の構成図である。
【図３】実施の形態１にかかる無線パラメータ制御処理の流れを示す図である。
【図４】実施の形態１の具体例１にかかる無線通信網の構成図である。
【図５】実施の形態１の具体例１にかかる各無線セルにおける測定情報を示す図である。
【図６】実施の形態１の具体例２にかかる無線通信網の構成図である。
【図７】実施の形態１の具体例２にかかる各無線セルにおける測定情報を示す図である。
【図８】実施の形態２にかかる無線パラメータ制御装置の構成図である。
【図９】実施の形態２にかかる無線パラメータ制御処理の流れを示す図である。
【図１０】実施の形態３にかかる無線通信網の構成図である。
【図１１】発明が解決しようとする課題を説明する図である。
【図１２】発明が解決しようとする課題を説明する図である。
【発明を実施するための形態】
【００１６】
（実施の形態１）
以下、図面を参照して本発明の実施の形態について説明する。各図面において、同一または対応する要素には同一の符号が付されており、必要に応じて重複説明は省略される。はじめに図１を用いて本発明の実施の形態１にかかる無線通信網の構成例について説明する。図１の無線通信網システムは、無線パラメータ制御装置１と、無線基地局２と、を備えている。
【００１７】
無線基地局２は、無線セル３を管理し、ＵＥ４との間で双方向の無線通信を行う。無線基地局２は、上位ネットワーク（不図示）に接続されており、ＵＥ４と上位ネットワークとの間でトラフィックを中継する。上位ネットワークは、無線アクセスネットワーク及びコアネットワークを含む。なお、無線基地局２には、無線セル３の無線信号を中継するリレー基地局を含む。
【００１８】
無線パラメータ制御装置１は、無線基地局２から測定情報を取得し、無線セル３の無線パラメータを決定する。ここで、無線基地局２から取得する測定情報としては、無線基地局２にて測定および記憶される通信統計品質や、ＵＥ４から無線基地局２へと報告されたＵＥ４の測定情報（ＵＥ測定情報）などがある。
【００１９】
通信統計品質の具体例としては、無線リンクの異常切断率（Ｒａｄｉｏ  Ｌｉｎｋ  Ｆａｉｌｕｒｅ  Ｒａｔｅ）、呼の異常切断率（Ｃａｌｌ  Ｄｒｏｐ  Ｒａｔｅ）、ハンドオーバ失敗率（Ｈａｎｄｏｖｅｒ  Ｆａｉｌｕｒｅ  Ｒａｔｅ）、トラフィック負荷、平均ユーザスループット、セルスループットなどが挙げられる。また、ＵＥ測定情報の具体例としては、ＵＥ４によって測定された無線セル３毎の無線品質、例えば、下りパイロット信号またはリファレンス信号の受信電力、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）などの信号対雑音干渉比が挙げられる。さらに、ＵＥ測定情報には、スループットやＢＬＥＲ（Ｂｌｏｃｋ  Ｅｒｒｏｒ  Ｒａｔｅ）などの通信品質、異常切断やハンドオーバ失敗の発生有無といったイベント情報、ＵＥが無線品質を測定した時刻、測定した無線セル３の識別子、ＵＥ４の識別子などの情報を含んでも良い。また、無線パラメータ制御装置１が決定する無線パラメータとしては、無線セル３毎のアンテナチルト角、アンテナ方位角、送信電力、ハンドオーバパラメータなどが含まれる。
【００２０】
続いて、図２を用いて本発明の実施の形態１にかかる無線パラメータ制御装置１の構成例について説明する。無線パラメータ制御装置１は、無線パラメータ決定部１０と、測定情報判定部１１と、影響セル決定部１２とを備えている。
【００２１】
無線パラメータ決定部１０は、無線基地局２から取得した測定情報をもとに、無線セル３の無線パラメータを決定する。無線パラメータ決定部１０は、無線パラメータの決定時に用いる測定情報に無効な測定情報が含まれるか否かによって、無線パラメータの決定方法を変更する。
【００２２】
例えば、無効な測定情報が含まれる場合には、無線パラメータの変更を抑制する、あるいは、無効な測定情報を除いた測定情報を無効な測定情報よりも重視して無線パラメータを決定する。さらに、無線パラメータ決定部１０は、無線基地局２を介して無線セル３の無線パラメータを変更した後に、無線パラメータが変更される無線セル３の識別子と当該無線パラメータの変更時刻（あるいは、変更を決定した時刻）とを無線パラメータ変更情報として記憶する。もしくは、無線パラメータ変更情報を記憶するタイミングは、無線基地局２に無線セル３の無線パラメータの変更を指示した後、または、無線セル３の無線パラメータを変更することを決定した後などであってもよい。無線パラメータ変更情報には、無線パラメータが変更される無線セル３の識別子と当該無線パラメータの変更時刻（あるいは、変更を決定した時刻）との両方が含まれることが好ましい。しかし、無線パラメータ変更情報は、無線セル３の識別子と無線パラメータの変更時刻との両方が含まれる場合に限定されず、どちらか片方の情報のみであっても良い。また、無線パラメータ変更情報は、無線パラメータを変更した時刻（あるいは、変更を決定した時刻）から、所定の時間のみ有効となるフラグであっても良い。
【００２３】
測定情報判定部１１は、無線セル３の無線パラメータを決定する際に、当該無線パラメータの決定時に用いる測定情報に無効な測定情報が含まれる否かを判定する。具体的には、判定時刻以前の時刻Ｔｃにおいて、ある無線セルの無線パラメータが変更された（あるいは、変更することが決定された）場合、当該無線セルの無線パラメータの変更によって通信環境に影響を受ける無線セル（影響セル）における、時刻Ｔｃ以前の測定情報を無効な測定情報とみなす。なお、無線パラメータ変更情報に、無線パラメータが変更された時刻（あるいは、変更を決定した時刻）の情報を含まない場合には、当該無線セルの無線パラメータの変更によって通信環境に影響を受ける無線セル（影響セル）の測定情報を、時刻によらずに一律に無効な測定情報としてもよい。また、無線パラメータ変更情報に、無線パラメータが変更された無線セルの識別子の情報を含まない場合には、時刻Ｔｃ以前の全ての無線セルの測定情報を無効な測定情報としてもよい。
【００２４】
影響セル決定部１２は、ある無線セルの無線パラメータの変更によって通信環境に影響を受ける無線セル（影響セル）を決定する。例えば、無線パラメータが変更された無線セル（以下、パラメータ変更セル）を影響セルとして決定する。あるいは、無線パラメータの変更により、収容する無線端末（ＵＥ）に変化が生じる無線セルを予測し、予測された無線セルを影響セルに含めても良い。
【００２５】
収容する無線端末（ＵＥ）に変化が生じる無線セルを予測する方法の一例としては、ＵＥ測定情報を用いる方法がある。具体的には、影響セル決定部１２は、無線パラメータの変更前にパラメータ変更セルにて収集したＵＥ測定情報を用いて、パラメータ変更セルに接続していたＵＥが、無線パラメータの変更後にどの無線セルに接続する可能性が高いかを予測する。さらに、影響セル決定部１２は、予測した無線セルを影響セルとして決定する。例えば、影響セル決定部１２は、無線パラメータの変更前にパラメータ変更セルにて収集したＵＥ測定情報に、ＵＥによって検出または測定された無線セルの識別子が含まれるか否かを確認する。ＵＥによって検出または測定された無線セルの識別子が含まれる場合には、影響セル決定部１２は、検出または測定された無線セルの一部あるいは全てを、パラメータ変更セルに接続していたＵＥが無線パラメータの変更後に接続する可能性が高い無線セルとして予測する。ここで、ＵＥによって検出または測定された無線セルの一部を選択する方法としては、ＵＥによって検出または測定された無線セルのうち、受信電力や受信品質が所定値以上となる無線セルのみを選択するなどの方法を用いることができる。なお、ここでは、無線パラメータの変更によって、ＵＥの接続先がパラメータ変更セルから他の無線セルへと切り替える場合について説明したが、この逆の移動が生じる場合、すなわち、無線パラメータの変更によって、ＵＥの接続先がパラメータ変更セル以外の無線セルからパラメータ変更セルへと切り替える場合についても、同様の方法を用いることによって、収容する無線端末（ＵＥ）に変化が生じる無線セルを予測することができる。
【００２６】
また、無線パラメータの変更に伴うＵＥの移動（ＵＥの接続先となる無線セルの変化）を実測値として取得し、パラメータ変更セルからの、あるいは、パラメータ変更セルへの移動頻度が高い無線セルを影響セルとして決定しても良い。例えば、無線パラメータ制御装置１は、無線パラメータの変更前にパラメータ変更セルに接続していた無線端末が、無線パラメータの変更後にどの無線セルに接続したかに関する情報を、ネットワーク側における追跡によって取得、または、無線端末からの報告によって取得する。なお、ここでは、無線パラメータの変更によって、ＵＥの接続先がパラメータ変更セルから他の無線セルへと切り替える場合について説明したが、この逆の移動が生じる場合、すなわち、無線パラメータの変更によって、ＵＥの接続先がパラメータ変更セル以外の無線セルからパラメータ変更セルへと切り替える場合についても、同様の方法を用いることができる。
【００２７】
収容する無線端末（ＵＥ）に変化が生じる無線セルを予測する他の一例としては、ハンドオーバ関連情報を用いる方法がある。ハンドオーバ関連情報の具体例としては、隣接セルリストやハンドオーバ回数などが挙げられる。ここで、隣接セルリストとは、無線セル毎に設定されるパラメータであり、当該無線セルに接続する無線端末のハンドオーバ先の候補となる無線セルを登録しておくリストである。影響セル決定部１２は、この隣接セルリストを参照し、隣接セルリストに登録された無線セルの一部あるいは全てを、収容する無線端末（ＵＥ）に変化が生じる無線セルとして予測しても良い。また、影響セル決定部１２は、パラメータ変更セルとの間で過去にハンドオーバの実績のある無線セルを、収容する無線端末（ＵＥ）に変化が生じる無線セルとして予測しても良い。
【００２８】
収容する無線端末（ＵＥ）に変化が生じる無線セルを予測する他の一例としては、無線セルまたは無線基地局の位置情報を用いても良い。例えば、無線セルを代表する地点における位置情報が利用可能であれば、パラメータ変更セルから所定の距離以内に存在する無線セルを、収容する無線端末（ＵＥ）に変化が生じる無線セルとして予測しても良い。あるいは、パラメータ変更セルを管理する無線基地局あるいはパラメータ変更セルの送受信アンテナから所定の距離以内に無線セルを管理する無線基地局あるいは当該無線セルの送受信アンテナがある場合、当該無線セルを、収容する無線端末（ＵＥ）に変化が生じる無線セルとして予測しても良い。
【００２９】
続いて、図３を用いて本発明の実施の形態１に係る無線パラメータ制御装置１による無線パラメータ制御処理の具体例について説明する。
【００３０】
ステップＳ１００では、無線パラメータ決定部１０は、無線パラメータの制御対象となる無線セルを一つ選択する。例えば、無線パラメータ決定部１０は、各無線セルに対して一意に割り当てられた無線セルの識別子を用いて、降順あるいは昇順に無線セルを選択してもよい。また別の例として、無線パラメータ決定部１０は、無線セルの通信統計品質を取得し、例えば、呼の異常切断率が高い順や、トラフィック負荷が高い順に無線セルを選択しても良い。以下では、ステップＳ１００で選択された無線セルを、選択無線セルと呼ぶ。
【００３１】
ステップＳ１０１では、無線パラメータ決定部１０は、選択無線セルについて、無線パラメータの変更条件を満たすか否かを判定する。無線パラメータの変更条件としては、例えば、選択無線セルについて前回の無線パラメータの変更時刻から所定の時間以上が経過したか否か、所定の時刻に達したか否か、無線端末から報告されたＵＥ測定情報が所定数に達したか否か、通信統計品質（呼の異常切断率やトラフィック負荷など）が所定値以上または以下であるか否か、といった条件を用いることができる。無線パラメータの変更条件を満たす場合には、次のステップＳ１０２の処理が実行される。一方、無線パラメータの変更条件を満たさない場合には、ステップＳ１００へと戻り、無線パラメータ決定部１０は、次の無線セルを選択する。
【００３２】
ステップＳ１０２では、測定情報判定部１１は、無線パラメータの決定時に用いる測定情報に、無効な測定情報が含まれるか否かを判定する。ここでの測定情報とは、上述の通り、無線基地局にて測定および記憶される通信統計品質や、ＵＥから無線基地局へと報告されたＵＥの測定情報（ＵＥ測定情報）などである。例えば、無線セル間の負荷分散を目的として、選択無線セルのトラフィック負荷と、選択無線セルの周辺に存在する無線セル（周辺無線セル）のトラフィック負荷とを用いて選択無線セルの無線パラメータを決定する場合においては、測定情報判定部１１は、選択無線セルにおける測定情報と周辺無線セルにおける測定情報とのそれぞれについて、無効な測定情報が含まれるか否かを判定する。
【００３３】
無線パラメータ決定部１０は、無線パラメータの決定時に用いる測定情報に無効な測定情報が含まれるか否かの判定結果に応じて、無線パラメータの決定方法を変更する。なお、ここでの、「無効な測定情報」とは、例えば、測定情報判定部１１における判定時刻以前に任意の無線セルに対して実施された（あるいは実施することが決定された）無線パラメータの変更（変更時刻Ｔｃ）について、その無線パラメータの変更によって影響を受ける無線セル（影響セル）における、変更時刻（Ｔｃ）以前の測定情報である。なお、無線パラメータの変更によって影響を受ける無線セル（影響セル）は、影響セル決定部１２が、上述の無線パラメータ変更情報を用いて決定する。例えば、影響セル決定部１２は、過去に無線パラメータが変更された（あるいは、変更することが決定された）無線セルを影響セルとして決定してもよい。あるいは、上述の通り、無線パラメータの変更により、収容する無線端末（ＵＥ）に変化が生じる無線セルを予測し、予測された無線セルを影響セルに含めても良い。ここで、選択無線セル、過去に無線パラメータの変更が実施された無線セル、過去に実施された無線パラメータの変更によって影響を受けた（影響を受けると予測された）無線セル（影響セル）のそれぞれは、全て別々の無線セルであっても良いし、一部同じ無線セルであっても良い。
【００３４】
ステップＳ１０３では、無線パラメータ決定部１０は、無線パラメータの決定時に用いる測定情報に無効な測定情報が含まれる場合の無線パラメータの決定処理を実行する。一方、ステップＳ１０４では、無線パラメータ決定部１０は、無線パラメータの決定時に用いる測定情報に無効な測定情報が含まれない場合の無線パラメータの決定処理を実行する。
【００３５】
無線パラメータの決定時に用いる測定情報に無効な測定情報が含まれない場合（ステップＳ１０４）には、無線パラメータ決定部１０は、一般的な無線パラメータの決定手法を用いても良い。例えば、選択無線セルの過去１時間のトラフィック負荷（無線リソース使用率）が８０％、周辺無線セルのトラフィック負荷（無線リソース使用率）が２０％の場合、無線パラメータ決定部１０は、選択無線セルのカバレッジを縮小し、選択無線セルから周辺無線セルへとトラフィックを移動させ、負荷分散を実行する。ここで、カバレッジの縮小は、具体的には、選択無線セルの送信電力を下げる、あるいはアンテナチルト角を下げる、といった無線パラメータの制御によって実施すれば良い。
【００３６】
一方、無線パラメータの決定時に用いる測定情報に無効な測定情報が含まれる場合（ステップＳ１０３）には、無線パラメータ決定部１０は、以下の方法を用いることができる。
【００３７】
１．無線パラメータの変更を抑制する。
２．無効な測定情報を除いた測定情報を無効な測定情報よりも重視して無線パラメータを決定する。
【００３８】
上記１．の方法の具体例としては、以下の方法を用いることができる。
１−１．無線パラメータを変更しない。
１−２．無線パラメータの変更量を小さくする。
１−３．無線パラメータの変更を延期する。
【００３９】
例えば、１−２．の方法を用いる場合であれば、まず、無線パラメータ決定部１０は、無線パラメータの決定時に用いる測定情報に無効な測定情報が含まれない場合と同じ無線パラメータの決定処理を実行する。そして、無線パラメータ決定部１０は、無効な測定情報が含まれない場合の無線パラメータの決定処理によって得られる無線パラメータの変更値に対して、その変更量を小さくする修正を加える。そして、無線パラメータ決定部１０は、修正された値を最終的な無線パラメータの変更値として決定する。なお、無線パラメータ決定部１０は、無線パラメータの決定時に用いる測定情報のうち、無効な測定情報が含まれる割合を求め、当該無効な測定情報が含まれる割合に応じて、無線パラメータの変更を抑制する強さを決定しても良い。ここで、無線パラメータの変更を抑制する強さを決定する方法としては、例えば、上記の１−２．において無線パラメータの変更量を小さくする際に、無効な測定情報が含まれる割合が高いほど、無線パラメータの変更量を小さくする。あるいは、上記の１−３．において無線パラメータの変更を延期する際に、無効な測定情報が含まれる割合が高いほど、延期時間を長くする。
【００４０】
また、上記２．の方法の具体例としては、以下の方法を用いることができる。
２−１．無線パラメータを決定する際に用いる測定情報から無効な測定情報を除外した測定情報のみを用いて無線パラメータを決定する。
２−２．無線パラメータを決定する際に用いる測定情報から無効な測定情報を除外した測定情報のみを用いて決定した無線パラメータの値（Ｘ）と、無線パラメータを決定する際に用いる測定情報のうち無効な測定情報のみを用いて決定した無線パラメータの値（Ｙ）とを用いて、両者の無線パラメータの値の重み付け和（αＸ＋βＹ）によって無線パラメータを決定する。例えば、αを０．８、βを０．２として、０．８Ｘ＋０．２Ｙとして無線パラメータの値を決定する。
【００４１】
ステップＳ１０５では、無線パラメータ決定部１０は、無線パラメータの変更を決定した無線セルについて、当該無線セルの識別子と無線パラメータの変更時刻（あるいは、変更を決定した時刻）とを無線パラメータ変更情報として記憶する。
ステップＳ１０６では、ステップＳ１００へと戻り、次の無線セルの処理へと移行する。
【００４２】
以上説明したように、本発明の実施の形態１にかかる無線パラメータ制御装置を用いることにより、他の無線セルにおいて無線パラメータを変更したことによって生じる通信環境の変化を考慮して、選択無線セルの無線パラメータを決定することができる。
【００４３】
（具体例１）
続いて、本実施の形態の具体例１について説明する。図４は具体例１にかかる無線通信網の構成例である。具体例１は、各無線セルの無線パラメータの変更条件を、当該無線セルのトラフィック負荷（無線リソース使用率）が所定値以上であるか否か、とした場合の例である。
【００４４】
図４の無線通信網には、二つのマクロ無線基地局（ＭＮＢ）２１およびＭＮＢ４１が存在する。ＭＮＢ２１はマクロ無線セル（ＭＣ）２２を、ＭＮＢ４１はＭＣ４２を管理している。さらに、ＭＣ２２のカバーエリア内にはピコ無線基地局（ＰＮＢ）２３およびＰＮＢ２５が存在し、ＭＣ４２のカバーエリア内にはＰＮＢ４３が存在する。ＰＮＢ２３によって管理されるピコ無線セル（ＰＣ）はＰＣ２４、ＰＮＢ２５によって管理されるピコ無線セルはＰＣ２６、ＰＮＢ４３によって管理されるピコ無線セルはＰＣ４４である。さらに、ＭＣ２２のカバーエリア内には、複数のＵＥ２７が存在し、ＭＣ４２のカバーエリア内には、複数のＵＥ４５が存在する。また、各無線基地局は、無線パラメータ制御装置１（不図示）と接続されている。
【００４５】
以上の構成のもとで、無線パラメータ制御処理について説明する。ここでは、ＰＣ２４、ＰＣ２６及びＰＣ４４の無線パラメータを制御する場合について説明する。なお、現在時刻は１０時００分であり、現在時刻にて取得された各無線セルのトラフィック負荷（無線リソース使用率）は図５の通りであると仮定する。例えば、図５には、ＭＣ２２において、０９：００〜１０：００の間に取得された無線リソース使用率の集計値は、２０％であることが示されている。ＭＣ４２、ＰＣ２４、ＰＣ２６及びＰＣ４４についても、０９：００〜１０：００における無線リソース使用率の集計値が示されている。
【００４６】
また、各ピコ無線セルの無線パラメータの制御は、当該ピコ無線セルの過去１時間のトラフィック負荷（無線リソース使用率）と、当該ピコ無線セルをカバーエリアに含むマクロ無線セルの過去１時間のトラフィック負荷（無線リソース使用率）とを用いて、ピコ無線セルとマクロ無線セルとの間のトラフィック負荷が均衡するように行うものとする。この際、ピコ無線セルの過去１時間の無線リソース使用率が５０％以上であるか否かを、当該ピコ無線セルにおける無線パラメータの変更条件とする。なお、ここでの仮定は単なる一例であって、本発明を限定するものではない。
【００４７】
無線パラメータ制御装置１の無線パラメータ決定部１０は、ＰＣ２４、ＰＣ２６、ＰＣ４４について、順に無線パラメータの制御処理を実行する（図３のステップＳ１００）。まず、無線パラメータ決定部１０は、ＰＣ２４について無線パラメータの変更条件を満たすか否かを判定する（図３のステップＳ１０１）。ＰＣ２４の過去１時間のトラフィック負荷は８０％であり、無線パラメータの変更条件である５０％よりも高い。そのため、ＰＣ２４は、無線パラメータの変更条件を満たすと判定される。測定情報判定部１１は、ＰＣ２４の無線パラメータの決定時に用いる測定情報に、無効な測定情報が含まれるか否かを判定する（図３のステップＳ１０２）。すなわち、ＰＣ２４の過去１時間の無線リソース使用率と、ＰＣ２４をカバーエリアに含むＭＣ２２の過去１時間の無線リソース使用率に、無効な測定情報が含まれるか否かを判定する。
【００４８】
今回の例においては、現在時刻である１０：００以前にはいずれの無線セルに対しても無線パラメータの変更が行われていないと仮定する。この場合、ＰＣ２４の無線パラメータの決定時に用いる測定情報には無効な測定情報が含まれないため、無効な測定情報が含まれない場合の無線パラメータの決定処理が行われる（図３のステップＳ１０４）。無線パラメータ決定部１０は、ＰＣ２４の過去１時間の無線リソース使用率（８０％）と、ＭＣ２２の過去１時間の無線リソース使用率（２０％）とを用いて、ＰＣ２４とＭＣ２２との間のトラフィック負荷が均衡するようにＰＣ２４の無線パラメータを決定する。例えば、無線パラメータ決定部１０は、ＰＣ２４の送信電力を減少させ、ＰＣ２４のカバレッジを縮小させる（図４のＰＣ２４'）。
【００４９】
無線パラメータ決定部１０は、ＰＣ２４の送信電力を変更した時刻（１０時００分）と、ＰＣ２４の識別子とを無線パラメータ変更情報として記憶する（図３のステップＳ１０５）。なお、無線パラメータ変更情報を記憶するタイミングは、必ずしも無線パラメータを実際に変更した後である必要はなく、無線パラメータを変更することを決定した後でも良い。以上により、ＰＣ２４の無線パラメータの制御処理を終了する。
【００５０】
次に、無線パラメータ決定部１０は、ＰＣ２６の無線パラメータの制御処理に進む（図３のステップＳ１００）。無線パラメータ決定部１０は、まずＰＣ２６について無線パラメータの変更条件を満たすか否かを判定する（図３のステップＳ１０１）。ＰＣ２６の過去１時間のトラフィック負荷は５５％であり、無線パラメータの変更条件である５０％よりも高い。そのため、ＰＣ２６は、無線パラメータの変更条件を満たすと判定される。
【００５１】
測定情報判定部１１は、ＰＣ２６の無線パラメータの決定時に用いる測定情報に、無効な測定情報が含まれるか否かを判定する（図３のステップＳ１０２）。すなわち、測定情報判定部１１は、ＰＣ２６の過去１時間の無線リソース使用率と、ＰＣ２４をカバーエリアに含むＭＣ２２の過去１時間の無線リソース使用率に、無効な測定情報が含まれるか否かを判定する。このために、影響セル決定部１２は、過去に実施された（または、実施することが決定された）無線パラメータの変更に関する情報として、無線パラメータ決定部１０によって記憶された無線パラメータ変更情報を取得する。そして、影響セル決定部１２は、過去に実施された（または、実施することが決定された）無線パラメータの変更によって影響を受ける無線セル（影響セル）を決定する。
【００５２】
例えば、影響セル決定部１２は、無線パラメータが変更された（または、変更することが決定された）無線セル自身と、無線パラメータが変更された（または、変更することが決定された）無線セルから一定の距離以内に存在する無線セルを影響セルとして決定する。今回の例においては、ＰＣ２４の無線パラメータが既に変更されている。そのため、ＰＣ２４自身と、ＰＣ２４の周辺に存在するＭＣ２２およびＰＣ２６が影響セルとして決定されたとする。
【００５３】
測定情報判定部１１は、ＰＣ２６の無線パラメータの決定時に用いる測定情報に無効な測定情報が含まれるか否か、すなわち、影響セル（ＭＣ２２、ＰＣ２４、ＰＣ２６）の測定情報であり、かつ、ＰＣ２４の無線パラメータの変更時刻（１０時００分）以前の測定情報が含まれるか否かを判定する。
【００５４】
今回の例においては、ＰＣ２６の無線パラメータの決定時に用いる測定情報がＰＣ２６とＭＣ２２の過去１時間（０９時００分から１０時００分）の無線リソース使用率であることから、無効な測定情報が含まれると判定される。そのため、無線パラメータ決定部１０は、ＰＣ２６に対しては無効な測定情報が含まれる場合の無線パラメータの決定処理を実行する（図３のステップＳ１０３）。例えば、無線パラメータ決定部１０は、ＰＣ２６の無線パラメータの変更を抑制し、ＰＣ２６の無線パラメータを変更しない。以上により、ＰＣ２６の無線パラメータの制御処理を終了する。
【００５５】
次に、無線パラメータ決定部１０は、ＰＣ４４の無線パラメータの制御処理に進む（図３のステップＳ１００）。上述のＰＣ２６の処理との違いは、ＰＣ４４については、無効な測定情報が含まれない場合の無線パラメータの決定処理（図３のステップＳ１０４）が行われる点である。すなわち、ＰＣ４４の無線パラメータの決定時に用いる測定情報はＰＣ４４と、ＰＣ４４をカバーエリアに含むＭＣ４２の過去１時間（０９時００分から１０時００分）の無線リソース使用率である。一方、無効な測定情報は、上述の通り、影響セル（ＭＣ２２、ＰＣ２４、ＰＣ２６）についての、ＰＣ２４の無線パラメータの変更時刻（１０時００分）以前の測定情報である。そのため、ＰＣ４４の無線パラメータの決定時に用いる測定情報には、無効な測定情報は含まれない。
【００５６】
無線パラメータ決定部１０は、ＰＣ４４の過去１時間の無線リソース使用率（６５％）と、ＭＣ４２の過去１時間の無線リソース使用率（３０％）とを用いて、ＰＣ４４とＭＣ４２との間のトラフィック負荷が均衡するようにＰＣ４４の無線パラメータを決定する。例えば、無線パラメータ決定部１０は、ＰＣ４４の送信電力を減少させ、ＰＣ４４のカバレッジを縮小させる（図４のＰＣ４４'）。無線パラメータ決定部１０は、ＰＣ４４の送信電力を変更した時刻（１０時００分）と、ＰＣ４４の識別子とを無線パラメータ変更情報として記憶する（図３のステップＳ１０５）。以上により、ＰＣ４４の無線パラメータの制御処理を終了する。
【００５７】
上記の通り、ＰＣ２６の無線パラメータを決定する際には、ＰＣ２４の無線パラメータの変更による通信環境の変化が考慮される。すなわち、ＰＣ２４の無線パラメータの変更によって通信環境が変化した後においては、通信環境の変化前における測定情報を用いて無線パラメータが決定されることがないように無線パラメータの決定処理が変更される。一方、ＰＣ２４の無線パラメータの変更によって生じる通信環境の変化の影響を受けないＰＣ４４については、通常の無線パラメータの決定処理を実行することができる。
【００５８】
（具体例２）
続いて、本実施の形態の具体例２について説明する。図６は具体例２にかかる無線通信網の構成例である。具体例２は、各無線セルの無線パラメータの変更条件を、当該無線セルの周辺に存在する無線セルのトラフィック負荷（無線リソース使用率）が所定値以上であるか否か、とした場合の例である。
【００５９】
図６の無線通信網は、ＭＮＢ５１、ＰＮＢ５３、ＰＮＢ５５を備えている。ＮＢ５１は、ＭＣ５２、ＰＮＢ５３は、ＰＣ５４、ＰＮＢ５５は、ＰＣ５６を管理している。ＰＮＢ５３およびＰＮＢ５５は、ＭＣ５２のカバーエリア内に存在する。さらに、ＭＣ５２のカバーエリア内には、複数のＵＥ５７が存在している。また、各無線基地局は、無線パラメータ制御装置１（不図示）と接続されている。以上の構成のもとで、無線パラメータ制御処理について説明する。
【００６０】
以降では、ＰＣ５４およびＰＣ５６の無線パラメータを制御する場合について説明する。なお、現在時刻は１０時００分であり、現在時刻において取得された各無線セルのトラフィック負荷（無線リソース使用率）は図７の通りであると仮定する。図７においては、図５と異なり、集計期間を３０分毎としている。さらに、図７においては、無線リソース使用率の１時間の平均値も管理されている。また、今回の例においては、マクロ無線セルＭＣ５２との間の負荷分散を目的として、ＰＣ５４のカバレッジを縮小する制御が、９時３０分に行われているとする。このカバレッジを縮小する制御によって、図７に示すように、ＭＣ５２の無線リソース使用率は４０％から８０％に増加し、ＰＣ５４の無線リソース使用率は６０％から２０％に減少している。
【００６１】
具体例１と同様に、各ピコ無線セルの無線パラメータの制御は、当該ピコ無線セルの過去１時間のトラフィック負荷（無線リソース使用率）と、当該ピコ無線セルをカバーエリアに含むマクロ無線セルの過去１時間のトラフィック負荷（無線リソース使用率）とを用いて、ピコ無線セルとマクロ無線セルとの間のトラフィック負荷が均衡するように行われる。ただし、具体例２は、具体例１とは異なり、ＰＣ５４およびＰＣ５６における無線パラメータの変更条件を、ＭＣ５２の過去１時間の無線リソース使用率が５０％以上であるか否かとする。なお、ここでの仮定は単なる一例であって、本発明を限定するものではない。
【００６２】
無線パラメータ制御装置１の無線パラメータ決定部１０は、ＰＣ５４、ＰＣ５６について、順に無線パラメータの制御処理を実行する（図３のステップＳ１００）。まず、無線パラメータ決定部１０は、ＰＣ５４について無線パラメータの変更条件を満たすか否かを判定する（図３のステップＳ１０１）。ＭＣ５２の過去１時間のトラフィック負荷は６０％であり、無線パラメータの変更条件である５０％よりも高いため、無線パラメータの変更条件を満たすと判定される。
【００６３】
測定情報判定部１１は、ＰＣ５４の無線パラメータの決定時に用いる測定情報に、無効な測定情報が含まれるか否かを判定する（図３のステップＳ１０２）。すなわち、測定情報判定部１１は、ＰＣ５４の過去１時間の無線リソース使用率と、ＭＣ５２の過去１時間の無線リソース使用率に、無効な測定情報が含まれるか否かを判定する。このために、影響セル決定部１２は、過去に実施された（または、実施することが決定された）無線パラメータの変更に関する情報として、無線パラメータ決定部１０によって記憶された無線パラメータ変更情報を取得する。そして、影響セル決定部１２は、過去に実施された（または、実施することが決定された）無線パラメータの変更によって影響を受ける無線セル（影響セル）を決定する。今回の例においては、ＰＣ５４の無線パラメータが９時３０分に変更されている。そのため、ＰＣ５４自身と、ＰＣ５４の周辺に存在するＭＣ５２およびＰＣ５６が影響セルとして決定されたとする。
【００６４】
測定情報判定部１１は、ＰＣ５４の無線パラメータの決定時に用いる測定情報に無効な測定情報が含まれるか否か、すなわち、影響セル（ＭＣ５２、ＰＣ５４、ＰＣ５６）の測定情報であり、かつ、ＰＣ５４の無線パラメータの変更時刻（９時３０分）以前の測定情報が含まれるか否かを判定する。今回の例においては、ＰＣ５４の無線パラメータの決定時に用いる測定情報は、ＰＣ５４と、ＰＣ５４をカバーエリアに含むＭＣ５２の過去１時間（０９時００分から１０時００分）の無線リソース使用率である。これより、ＰＣ５４の無線パラメータの決定時に用いる測定情報に無効な測定情報が含まれると判定される。そのため、無線パラメータ決定部１０は、ＰＣ５４に対しては無効な測定情報が含まれる場合の無線パラメータの決定処理を実行する（図３のステップＳ１０３）。
【００６５】
具体的には、ＰＣ５４の無線パラメータの決定時に用いる測定情報から無効な測定情報を除いた測定情報を、無効な測定情報よりも重視して無線パラメータを決定する。例えば、無効な測定情報を全て無視し、ＰＣ５４の無線パラメータの決定時に用いる測定情報から無効な測定情報を除いた測定情報のみを用いて無線パラメータを決定する。すなわち、ＰＣ５４の９時３０分から１０時００分までの無線リソース使用率（２０％）と、ＭＣ５２の９時３０分から１０時００分までの無線リソース使用率（８０％）とを用いて、ＰＣ５４の無線パラメータを決定する。
【００６６】
今回の例では、ＭＣ５２のトラフィック負荷を減少させるために、ＰＣ５４の送信電力を増加させ、ＰＣ５４のカバレッジを拡大するための制御が実施される。無線パラメータ決定部１０は、ＰＣ５４の送信電力を変更した時刻（１０時００分）と、ＰＣ５４の識別子とを無線パラメータ変更情報として記憶する（図３のステップＳ１０５）。以上により、ＰＣ５４の無線パラメータの制御処理を終了する。
【００６７】
次に、無線パラメータ決定部１０は、ＰＣ５６の無線パラメータの制御処理に進む（図３のステップＳ１００）。無線パラメータ決定部１０は、まずＰＣ５６について無線パラメータの変更条件を満たすか否かを判定する（図３のステップＳ１０１）。ＭＣ５２の過去１時間のトラフィック負荷は６０％であり、無線パラメータの変更条件である５０％よりも高いため、無線パラメータの変更条件を満たすと判定される。
【００６８】
測定情報判定部１１は、ＰＣ５６の無線パラメータの決定時に用いる測定情報に、無効な測定情報が含まれるか否かを判定する（図３のステップＳ１０２）。すなわち、ＰＣ５６の過去１時間の無線リソース使用率と、ＭＣ５２の過去１時間の無線リソース使用率に、無効な測定情報が含まれるか否かを判定する。このために、影響セル決定部１２は、過去に実施された（または、実施することが決定された）無線パラメータの変更に関する情報として、無線パラメータ決定部１０によって記憶された無線パラメータ変更情報を取得する。そして、測定情報判定部１１は、過去に実施された（または、実施することが決定された）無線パラメータの変更によって影響を受ける無線セル（影響セル）を決定する。
【００６９】
今回の例においては、１０時００分にＰＣ５４の無線パラメータが変更されている（または、変更することが決定されている）。そのため、ＰＣ５４自身と、ＰＣ５４の周辺に存在するＭＣ５２およびＰＣ５６が影響セルとして決定されたとする。測定情報判定部１１は、ＰＣ５６の無線パラメータの決定時に用いる測定情報に無効な測定情報が含まれるか否か、すなわち、影響セル（ＭＣ５２、ＰＣ５４、ＰＣ５６）の測定情報であり、かつ、ＰＣ５４の無線パラメータの変更時刻（１０時００分）以前の測定情報が含まれるか否かを判定する。
【００７０】
今回の例においては、ＰＣ５６の無線パラメータの決定時に用いる測定情報がＰＣ５６とＭＣ５２の過去１時間（０９時００分から１０時００分）の無線リソース使用率であることから、無効な測定情報が含まれると判定される。そのため、無線パラメータ決定部１０は、ＰＣ５６に対しては無効な測定情報が含まれる場合の無線パラメータの決定処理を実行する（図３のステップＳ１０３）。
【００７１】
例えば、ＰＣ５６の無線パラメータの決定時に用いる測定情報には無効な測定情報しか含まれないため、無線パラメータ決定部１０は、ＰＣ５６の無線パラメータの変更を抑制し、ＰＣ５６の無線パラメータを変更しない。あるいは、無線パラメータ決定部１０は、別の例として、ＰＣ５６の無線パラメータの変更量を小さくしても良い。例えば、ＰＣ５６とＭＣ５２との過去１時間（０９時００分から１０時００分）の無線リソース使用率を用いて無線パラメータを決定した結果、ＰＣ５６の送信電力を１０ｄＢ増加させるという決定がなされた場合、例えば変更量を２分の１にして、実際には送信電力を５ｄＢ増加させる。ＰＣ５６の送信電力を変更した場合、無線パラメータ決定部１０は、ＰＣ５６の送信電力を変更した時刻（１０時００分）と、ＰＣ５６の識別子とを無線パラメータ変更情報として記憶する（図３のステップＳ１０５）。以上により、ＰＣ５６の無線パラメータの制御処理を終了する。
【００７２】
上記の処理によって、９時３０分に実施されたＰＣ５４の無線パラメータの変更により生じた通信環境の変化、具体的にはＭＣ５２のトラフィック負荷の急増を考慮することが可能になるとともに、ＭＣ５２に含まれる全てのピコ無線セルが独立かつ同時に負荷分散を実行することを回避することが可能となる。
【００７３】
上述したように、本発明の実施の形態１に係る無線パラメータ制御装置１は、測定情報を用いて無線セルの無線パラメータを決定する際に、当該無線パラメータの決定に用いる測定情報に、他の無線セルの無線パラメータの変更によって影響を受ける無線セルにおける、無線パラメータの変更時刻以前の測定情報が含まれているかを判定し、その結果に応じて無線パラメータの決定方法を変更する。そのため、他の無線セルの無線パラメータの変更によって生じる通信環境の変化を考慮しながら、無線セルの無線パラメータを制御することができる。
【００７４】
（実施の形態２）
続いて、図８を用いて本発明の実施の形態２にかかる無線パラメータ制御装置６１の構成例について説明する。図８の無線パラメータ制御装置６１は、影響判定部１３を備える点で、本発明の第１の実施の形態に係る無線パラメータ制御装置１と異なる。
【００７５】
影響判定部１３は、無線セルの無線パラメータが変更された後に無線セル毎の測定情報を取得する。さらに、影響判定部１３は、無線パラメータの変更前後で測定情報に変化が生じたか否かを無線セル毎に判定する。そして、影響判定部１３は、無線パラメータの変更前後で測定情報に変化が生じた無線セルを、当該無線パラメータの変更によって影響を受ける無線セル（影響セル）として判定する。測定情報としては、通信統計品質やＵＥ測定情報を用いることができる。例えば、通信統計品質として無線リソース使用率を用いる場合、影響判定部１３は、無線パラメータの変更前後で、無線リソース使用率が所定値（例えば、０．１）以上変化した無線セルや、所定の割合（例えば、２０％）以上変化した無線セルを、無線パラメータの変更によって影響を受けた無線セルとして判定する。あるいは、影響判定部１３は、ＵＥ測定情報にＳＩＮＲが含まれる場合、ＵＥ測定情報のＳＩＮＲの平均値を無線パラメータの変更前と変更後とで無線セル毎に求め、その値が所定値あるいは所定の割合以上変化した無線セルを、無線パラメータの変更によって影響を受けた無線セルとして判定する。なお、影響判定部１３は、必ずしも、現実の無線通信網における測定情報を用いて、無線パラメータの変更によって影響を受けた無線セルを判定する必要はない。例えば、電波伝搬シミュレータや、システムレベルシミュレータ等のシミュレータを用いて、仮想的に無線セルの無線パラメータを変更し、上述の測定情報の変化をシミュレータ上で判定しても良い。
【００７６】
影響セル決定部１２、または、影響判定部１３、またはその他の手段を用いて、無線パラメータの変更が行われた無線セルと、それによって影響を受けた無線セル（影響セル）との対応関係を記憶しておき、再び同じ無線セルについて影響セルを決定する際には、記憶された過去の対応関係を用いることができる。
【００７７】
続いて、図９を用いて、実施の形態２に係る無線パラメータ制御装置６１による無線パラメータ制御処理の具体例について説明する。図３に示した実施の形態１における無線パラメータ制御処理との差異は、影響判定部１３が、無線パラメータの変更後に、当該無線パラメータの変更によって影響を受けた無線セルを判定する処理（ステップＳ１０７）が含まれる点である。
【００７８】
影響判定部１３は、各無線セルにおける無線パラメータが変更された後、当該無線パラメータの変更前後で、各無線セルの測定情報に変化が生じたか否かを判定する。そして、測定情報に変化が生じたと判定された無線セルを、当該無線パラメータの変更によって影響を受けた無線セル（影響セル）として記憶する。その後、再び同じ無線セルについての影響セルを決定する際には、記憶された影響セルを活用する。
【００７９】
以上説明したように、本実施の形態に係る無線パラメータ制御装置６１は、無線パラメータの変更前後で測定情報に変化が生じた無線セルを、当該無線パラメータの変更によって影響を受けた無線セルとして決定する。そのため、無線パラメータの変更によって影響を受ける無線セルを、より信頼度高く予測することが可能となる。
【００８０】
（実施の形態３）
続いて、図１０を用いて、本発明の実施の形態３にかかる無線通信網の構成例について説明する。図１に示した本発明の第１の実施の形態に係る無線通信網の構成例との差異は、無線パラメータ制御装置１が、無線基地局２の一部として配置されている点である。無線基地局２の間は、無線あるいは有線の通信回線７１を用いて接続されている。なお、無線基地局２の間は、通信回線７１によって必ずしも直接的に接続されている必要はなく、例えば、上位ネットワークを介して間接的に接続されていても良い。各無線基地局２は、無線パラメータ変更情報や、当該無線基地局が管理する無線セルの無線パラメータの変更によって影響を受ける無線セル（影響セル）に関する情報を、通信回線７１を介して、他の無線基地局と交換する。無線パラメータ制御装置１の構成や動作は、他の実施の形態と同じであるため省略する。
【００８１】
以上説明したように、本発明の実施の形態３に係る無線パラメータ制御装置１は、無線基地局の機能の一部として実現される。そのため、複数の無線セルの無線パラメータを集中的に制御する集中制御型のサーバが不要となり、各無線セルの無線パラメータを自律分散的に制御することが可能となる。
【００８２】
上述の実施の形態では、本発明をハードウェアの構成として説明したが、本発明は、これに限定されるものではない。本発明は、図３及び図９における無線パラメータ制御装置の処理を、ＣＰＵ（Central Processing Unit）にコンピュータプログラムを実行させることにより実現することも可能である。
【００８３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８４】
（付記１）
無線基地局が管理する無線セルの無線パラメータを制御する無線パラメータ制御装置であって、
第１の無線セルの無線パラメータの決定に用いる第１の測定情報に、第２の無線セルの無線パラメータの変更によって影響を受ける無線セルにおける、前記第２の無線セルの無線パラメータの変更によって無効となる第２の測定情報が含まれているか否かを判定する測定情報判定部と、
前記第２の無線セルの無線パラメータの変更によって影響を受ける無線セルを決定する影響セル決定部と、
前記測定情報判定部における判定結果に応じて、前記第１の無線セルの無線パラメータを決定する無線パラメータ決定部と、
を備える無線パラメータ制御装置。
【００８５】
（付記２）
前記測定情報判定部は、
前記第１の測定情報に、前記第２の無線セルの無線パラメータの変更によって影響を受ける無線セルにおける測定情報が含まれる場合、前記影響を受ける無線セルにおける測定情報を前記無効となる第２の測定情報と判定する、付記１に記載の無線パラメータ制御装置。
【００８６】
（付記３）
前記測定情報判定部は、
前記第１の測定情報に、前記第２の無線セルの無線パラメータの変更時刻以前の測定情報が含まれる場合、前記第２の無線セルの無線パラメータの変更時刻以前の測定情報を前記無効となる第２の測定情報と判定する、付記１又は２に記載の無線パラメータ制御装置。
【００８７】
（付記４）
前記無線パラメータ決定部は、
前記第１の測定情報に、前記第２の測定情報が含まれている場合、前記第１の無線セルの無線パラメータの変更を抑制する、付記１乃至３のいずれかに記載の無線パラメータ制御装置。
【００８８】
（付記５）
前記無線パラメータの変更の抑制は、前記無線パラメータを変更しない、前記第１の測定情報を用いて決定される無線パラメータの変更値に対して、変更量を小さくする補正を加える、及び、無線パラメータの変更時刻を延期する、のいずれかである付記４に記載の無線パラメータ制御装置。
【００８９】
（付記６）
前記測定情報判定部は、
前記第１の測定情報に含まれる前記第２の測定情報の割合を求め、
前記無線パラメータ決定部は、
前記割合に基づいて、前記無線パラメータの変更を抑制する強さを決定する、
付記４又は５に記載の無線パラメータ制御装置。
【００９０】
（付記７）
前記無線パラメータ決定部は、
前記第１の測定情報に、前記第２の測定情報が含まれている場合、前記第１の測定情報から前記第２の測定情報を除いた情報を重視して、前記第１の無線セルの無線パラメータを決定する、付記１乃至３のいずれかに記載の無線パラメータ制御装置。
【００９１】
（付記８）
前記影響セル決定部は、
前記第２の無線セルの無線パラメータの変更によって、収容する無線端末に変化が生じる第３の無線セルを予測し、前記第３の無線セルを前記第２の無線セルの無線パラメータの変更によって影響を受ける無線セルと決定する、
付記１乃至７のいずれか１項に記載の無線パラメータ制御装置。
【００９２】
（付記９）
前記影響セル決定部は、
前記無線端末における測定情報、ハンドオーバ関連情報及び無線セルの位置、の少なくとも１つを用いて、前記第３の無線セルを予測する、付記８に記載の無線パラメータ制御装置。
【００９３】
（付記１０）
前記第２の無線セルの無線パラメータの変更によって、測定情報に変化が生じた第４の無線セルを判定する影響判定部をさらに備え、
前記影響セル決定部は、
前記第２の無線セルの無線パラメータの変更によって影響を受ける無線セルに、前記第４の無線セルを含める、
付記１乃至９のいずれか１項に記載の無線パラメータ制御装置。
【００９４】
（付記１１）
前記無線パラメータ決定部は、
前記第１の無線セルの無線パラメータを変更することを決定した後に、前記第１の無線セルの識別子、及び、前記無線パラメータの変更時刻の少なくとも一つを無線パラメータ変更情報として記憶する、
付記項１乃至１０のいずれか１項に記載の無線パラメータ制御装置。
【００９５】
（付記１２）
付記１乃至１１のいずれかに記載の無線パラメータ制御装置を備え、
自身の管理する無線セルの無線パラメータの変更によって影響を受ける無線セルに関する情報と、前記自身の管理する無線セルにおいて変更された無線パラメータ変更情報とを、他の無線基地局と交換する、無線基地局。
【００９６】
（付記１３）
無線基地局が管理する無線セルにおける無線パラメータ制御方法であって、
第２の無線セルの無線パラメータの変更によって影響を受ける無線セルを決定し、第１の無線セルの無線パラメータの決定に用いる第１の測定情報に、前記第２の無線セルの無線パラメータの変更によって影響を受ける無線セルにおける、前記第２の無線セルの無線パラメータの変更によって無効となる第２の測定情報が含まれているか否かを判定し、
前記判定結果に応じて、前記第１の無線セルの無線パラメータを決定する、無線パラメータ制御方法。
【００９７】
（付記１４）
前記第１の測定情報に、前記第２の測定情報が含まれているか否かを判定する際に、
前記第１の測定情報に、前記第２の無線セルの無線パラメータの変更によって影響を受ける無線セルにおける測定情報が含まれる場合、前記影響を受ける無線セルにおける測定情報を無効となる前記第２の測定情報と判定する、
付記１３に記載の無線パラメータ制御方法。
【００９８】
（付記１５）
前記第１の測定情報に、前記第２の測定情報が含まれているか否かを判定する際に、
前記第１の測定情報に、前記第２の無線セルの無線パラメータの変更時刻以前の測定情報が含まれる場合、前記第２の無線セルの無線パラメータの変更時刻以前の測定情報を無効となる前記第２の測定情報と判定する、
付記１３又は１４に記載の無線パラメータ制御方法。
【００９９】
（付記１６）
前記第１の無線セルの無線パラメータを決定する際に、
前記第１の測定情報に、前記第２の測定情報が含まれている場合、前記第１の無線セルの無線パラメータの変更を抑制する、
付記１３乃至１５のいずれかに記載の無線パラメータ制御方法。
【０１００】
（付記１７）
前記無線パラメータの変更の抑制は、前記無線パラメータを変更しない、前記第１の測定情報を用いて決定される無線パラメータの変更値に対して、変更量を小さくする補正を加える、及び、無線パラメータの変更時刻を延期する、のいずれかである
付記１６に記載の無線パラメータ制御装置。
【０１０１】
（付記１８）
前記第１の無線セルの無線パラメータを決定する際に、
前記第１の測定情報に含まれる前記第２の測定情報の割合を求め、
前記割合に基づいて、前記無線パラメータの変更を抑制する強さを決定する、
付記１６又は１７に記載の無線パラメータ制御方法。
【０１０２】
（付記１９）
前記第１の無線セルの無線パラメータを決定する際に、
前記第１の測定情報に、前記第２の測定情報が含まれている場合、前記第１の測定情報から前記第２の測定情報を除いた情報を重視して、前記第１の無線セルの無線パラメータを決定する、
付記１３乃至１５のいずれかに記載の無線パラメータ制御方法。
【０１０３】
（付記２０）
前記第２の無線セルの無線パラメータの変更によって影響を受ける無線セルを決定する際に、
前記第２の無線セルの無線パラメータの変更によって、収容する無線端末に変化が生じる第３の無線セルを予測し、前記第３の無線セルを前記第２の無線セルの無線パラメータの変更によって影響を受ける無線セルと決定する、
付記１３乃至１９のいずれかに記載の無線パラメータ制御方法。
【０１０４】
（付記２１）
前記第２の無線セルの無線パラメータの変更によって影響を受ける無線セルを決定する際に、
前記無線端末における測定情報、ハンドオーバ関連情報及び無線セルの位置、の少なくとも１つを用いて、前記第３の無線セルを予測する、
付記２０に記載の無線パラメータ制御方法。
【０１０５】
（付記２２）
前記第２の無線セルの無線パラメータの変更によって影響を受ける無線セルを決定する際に、
前記第２の無線セルの無線パラメータの変更によって、測定情報に変化が生じた第４の無線セルを判定し、
前記第２の無線セルの無線パラメータの変更によって影響を受ける無線セルに、前記第４の無線セルを含める、
付記１３乃至２１のいずれかに記載の無線パラメータ制御方法。
【０１０６】
（付記２３）
無線基地局が管理する無線セルにおける無線パラメータ制御をコンピュータに実行させるプログラムであって、
第２の無線セルの無線パラメータの変更によって影響を受ける無線セルを決定するステップと、
第１の無線セルの無線パラメータの決定に用いる第１の測定情報に、前記第２の無線セルの無線パラメータの変更によって影響を受ける無線セルにおける、前記第２の無線セルの無線パラメータの変更によって無効となる第２の測定情報が含まれているか否かを判定するステップと、
前記判定結果に応じて、前記第１の無線セルの無線パラメータを決定するステップと、
をコンピュータに実行させるプログラム。
【０１０７】
（付記２４）
無線基地局が管理する無線セルの無線パラメータを制御する無線パラメータ制御システムであって、
第１の無線セルの無線パラメータの決定に用いる第１の測定情報に、第２の無線セルの無線パラメータの変更によって影響を受ける無線セルにおける、前記第２の無線セルの無線パラメータの変更によって無効となる第２の測定情報が含まれているか否かを判定する測定情報判定部と、
前記第２の無線セルの無線パラメータの変更によって影響を受ける無線セルを決定する影響セル決定部と、
前記測定情報判定部における判定結果に応じて、前記第１の無線セルの無線パラメータを決定する無線パラメータ決定部と、
を備える無線パラメータ制御システム。
【０１０８】
なお、本発明は上記実施の形態に限られたものではなく、趣旨を逸脱しない範囲で適宜変更することが可能である。
【０１０９】
本出願は、２０１２年４月２４日に出願された日本出願特願２０１２−０９８６０４号を基礎とする優先権を主張し、その開示の全てをここに取り込む。
【符号の説明】
【０１１０】
１  無線パラメータ制御装置
２  無線基地局
３  無線セル
４  ＵＥ
１０  無線パラメータ決定部
１１  測定情報判定部
１２  影響セル決定部
１３  影響判定部
２１  マクロ無線基地局（ＭＮＢ）
２２  マクロ無線セル（ＭＣ）
２３  ピコ無線基地局（ＰＮＢ）
２４  ピコ無線セル（ＰＣ）
２５  ピコ無線基地局（ＰＮＢ）
２６  ピコ無線セル（ＰＣ）
２７  ＵＥ
４１  マクロ無線基地局（ＭＮＢ）
４２  マクロ無線セル（ＭＣ）
４３  ピコ無線基地局（ＰＮＢ）
４４  ピコ無線セル（ＰＣ）
４５  ＵＥ
５１  マクロ無線基地局（ＭＮＢ）
５２  マクロ無線セル（ＭＣ）
５３  ピコ無線基地局（ＰＮＢ）
５４  ピコ無線セル（ＰＣ）
５５  ピコ無線基地局（ＰＮＢ）
５６  ピコ無線セル（ＰＣ）
６１  無線パラメータ制御装置
７１  通信回線
【図１】
2013161793.tif 000003
【図２】
2013161793.tif 000004
【図３】
2013161793.tif 000005
【図４】
2013161793.tif 000006
【図５】
2013161793.tif 000007
【図６】
2013161793.tif 000008
【図７】
2013161793.tif 000009
【図８】
2013161793.tif 000010
【図９】
2013161793.tif 000011
【図１０】
2013161793.tif 000012
【図１１】
2013161793.tif 000013
【図１２】
2013161793.tif 000014
【国際調査報告】
2013161793.tif 000015
2013161793.tif 000016
2013161793.tif 000017
2013161793.tif 000018